(57)【要約】【課題】受信アンテナを増やすことなく、伝送特性を向上させることができる無線受信装置、無線通信システム及び無線通信方法を提供する。【解決手段】複数本の送信アンテナと受信アンテナとの間の伝搬路応答を推定する伝搬路応答推定部と、受信信号を複数のブロックに分割するためのブロック分割制御情報を生成するブロック分割制御部と、ブロック分割制御情報に基づいてブロック分割を行うブロック分割部と、複数のブロックに分割した受信信号と伝搬路応答とに基づいて前記送信装置が送信した複数の送信信号を検出する送信信号検出部と、を備える。ブロック分割制御部は、ブロック分割部におけるブロック分割の数を変化させる。【選択図】図２
2010028210.tif 000002
【特許請求の範囲】
【請求項１】
複数の送信アンテナを備える送信装置と通信する受信装置であって、
前記送信装置の前記複数の送信アンテナから送信される複数の送信信号を受信する少なくとも１本の受信アンテナと、
前記複数の送信アンテナと前記受信アンテナとの間の伝搬路応答を推定する伝搬路推定部と、
前記受信アンテナが受信した受信信号から検出した検出信号に基づいて送信信号レプリカ信号を生成する送信信号レプリカ生成部と、
ブロック分割数を決定するブロック分割数決定部と、
前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を、前記ブロック分割数決定部が決定したブロック分割数のブロックにブロック分割するブロック分割部と、
前記ブロック分割部が複数のブロックに分割した受信信号と前記伝搬路推定部が推定した伝搬路応答とに基づいて前記送信装置が送信した複数の送信信号を検出し、検出した信号である前記検出信号を出力する送信信号検出部と、を備え、
同じ受信信号に対して、前記ブロック分割部によるブロック分割と、前記送信信号検出部による送信信号の検出と、前記送信信号レプリカ生成部による送信信号レプリカの生成とを繰返し行う繰返し処理を行い、
前記繰返し処理の繰返しのうち、少なくとも１回は前記ブロック分割数決定部が決定するブロック分割数が異なる、
ことを特徴とする受信装置。
【請求項２】
前記受信アンテナは複数であり、
前記ブロック分割数決定部は、ブロック分割を行う前記複数の受信アンテナが受信する複数の受信信号毎に前記ブロック分割数を決定することを特徴とする請求項１に記載の受信装置。
【請求項３】
前記ブロック分割数決定部は、前記繰返し処理を行った回数が増えるにつれて、前記ブロック分割数が増加する場合を含むように決定することを特徴とする請求項１または２に記載の受信装置。
【請求項４】
前記送信信号検出部は、前記送信信号のビットの尤度を検出し、
前記送信信号レプリカ生成部は、前記ビットの尤度に基づいて送信信号レプリカを生成することを特徴とする請求項１から３までのいずれかに記載の受信装置。
【請求項５】
前記送信信号検出部は、前記送信信号のビットの尤度を検出し、
前記ブロック分割数決定部は、前記ビットの尤度に基づいて前記ブロック分割数を決定することを特徴とする請求項１から３までのいずれかに記載の受信装置。
【請求項６】
前記ブロック分割数決定部は、前記伝搬路推定部が推定する伝搬路応答に基づいて前記ブロック分割数を決定することを特徴とする請求項１から５までのいずれかに記載の受信装置。
【請求項７】
前記ブロック分割数決定部は、前記送信アンテナの数と前記受信アンテナの数に基づいて前記ブロック分割数を決定することを特徴とする請求項１から６までのいずれかに記載の受信装置。
【請求項８】
送信装置と受信装置とを備える通信システムであって、
前記送信装置は、複数の送信アンテナと、
前記複数の送信アンテナから送信信号を送信する送信部と、を備え、
前記受信装置は、前記送信装置の前記複数の送信アンテナから送信される複数の送信信号を受信する少なくとも１本の受信アンテナと、
前記複数の送信アンテナと前記受信アンテナとの間の伝搬路応答を推定する伝搬路推定部と、
前記受信アンテナが受信した受信信号から検出した検出信号に基づいて送信信号レプリカ信号を生成する送信信号レプリカ生成部と、
ブロック分割数を決定するブロック分割数決定部と、
前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を前記ブロック分割数決定部が決定したブロック分割数のブロックにブロック分割を行うブロック分割部と、
前記ブロック分割部が複数のブロックに分割した受信信号と前記伝搬路推定部が推定した伝搬路応答とに基づいて前記送信装置が送信した複数の送信信号を検出し、検出した信号である前記検出信号を出力する送信信号検出部と、を備え、
同じ受信信号に対して、前記ブロック分割部によるブロック分割と、前記送信信号検出部による送信信号の検出と、前記送信信号レプリカ生成部による前記送信信号検出部が検出した検出信号に基づいた送信信号レプリカの生成とを繰返し行う繰返し処理を行い、
前記繰返し処理の繰返しのうち、少なくとも１回は前記ブロック分割数決定部が決定するブロック分割数が異なる、
ことを特徴とする通信システム。
【請求項９】
複数の送信アンテナと、前記複数の送信アンテナから送信信号を送信する送信部を備える送信装置と、前記送信装置が前記複数の送信アンテナから送信される複数の送信信号を受信する少なくとも１本の受信アンテナを備える受信装置を利用した通信方法であって、
前記受信装置における伝搬路推定部は、前記複数の送信アンテナと前記受信アンテナとの間の伝搬路応答を推定し、
前記受信装置における送信信号レプリカ生成部は、前記受信アンテナが受信した受信信号から検出した検出信号に基づいて送信信号レプリカ信号を生成し、
前記受信装置におけるブロック分割数決定部は、ブロック分割数を決定し、
前記受信装置におけるブロック分割部は、前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を前記ブロック分割数決定部が決定したブロック分割数のブロックにブロック分割を行い、
前記受信装置における送信信号検出部は、前記ブロック分割部が複数のブロックに分割した受信信号と前記伝搬路推定部が推定した伝搬路応答とに基づいて前記送信装置が送信した複数の送信信号を検出し、検出した信号である前記検出信号を出力し、
同じ受信信号に対して、前記ブロック分割部によるブロック分割と、前記送信信号検出部による送信信号の検出と、前記送信信号レプリカ生成部による前記送信信号検出部が検出した検出信号に基づいた送信信号レプリカの生成とを繰返し行う繰返し処理を行い、
前記繰返し処理の繰返しのうち、少なくとも１回は前記ブロック分割数決定部が決定するブロック分割数が異なる、
ことを特徴とする通信方法。
【発明の詳細な説明】
【技術分野】
【０００１】
本発明は、受信装置、通信システム及び通信方法に関する。
【背景技術】
【０００２】
近年、無線通信の分野では、高速伝送を実現するため、複数の独立なデータを、同一周波数、同一タイミングで送信することにより、周波数帯域幅を広げずに伝送レートの増大できるＭＩＭＯ（多入力多出力：Multiple Input Multiple Output）システムが注目されている。一方でＭＩＭＯシステムは、異なる送信データが多重されて受信されるため、受信側では空間的に多重された信号を分離する技術が必要となる。
【０００３】
図１９はＭＩＭＯシステムの例を示す図である。無線送信装置５１は、Ｍ本（Ｍは２以上の整数）の送信アンテナＡｓ１〜ＡｓＭを備え、各送信アンテナＡｓ１〜ＡｓＭから異なる信号ｓ１〜ｓＭを無線受信装置５２へ送信する。無線送信装置５１の各アンテナＡｓ１〜ＡｓＭから送信された信号ｓ１〜ｓＭは、無線受信装置５２が備えるＮ本（Ｎは１以上の整数）の受信アンテナＡｒ１〜ＡｒＮで受信される。このときＭＩＭＯシステムの送受信信号モデルは式（１）〜式（５）のように表せる。
【０００４】
【数１】
2010028210.tif 000003
【０００５】
【数２】
2010028210.tif 000004
【０００６】
【数３】
2010028210.tif 000005
【０００７】
【数４】
2010028210.tif 000006
【０００８】
【数５】
2010028210.tif 000007
【０００９】
ただし、式（１）の左辺のベクトルｒは式（２）に示すように、各受信アンテナＡｒ１〜ＡｒＮで受信される受信信号ｒ１〜ｒＮを要素にもつＮ×１の受信信号ベクトルである。また、行列Ｈは式（３）に示すように、各送信アンテナＡｓ１〜ＡｓＭと受信アンテナＡｒ１〜ＡｒＮとの間の伝搬路応答ｈ１１、・・・、ｈ１Ｍ、・・・、ｈＮ１、・・・、ｈＮＭを要素に持つＮ×Ｍ伝搬路行列である。また、ベクトルｓは式（４）に示すように、各送信アンテナＡｓ１〜ＡｓＭで送信される送信信号ｓ１〜ｓＭを要素にもつＭ×１送信信号ベクトルである。また、ベクトルｎは式（５）に示すように、各受信アンテナＡｒ１〜ＡｒＮで加わる雑音ｎ１〜ｎＮを要素にもつＮ×１雑音ベクトルである。なお、行列の右肩の記号Ｔはその行列の転置行列であることを示している。
【００１０】
式（１）のように空間的に多重された信号を分離する技術には、例えば、ＺＦＤ（ゼロフォーシング検出：Zero Forcing Detection）やＭＭＳＥＤ（最小二乗平均誤差検出：Minimum Mean Square Error Detection）のような線形処理がある。これらは演算量が少ないため、よく用いられている。上述したＭＩＭＯシステムに関しては非特許文献１に記載されている。
【非特許文献１】Ｄ．Ｇｅｓｂｅｒｔ、Ｍ．Ｓｈａｆｉ、Ｄ．Ｓｈｉｕ、Ｐ．Ｊ．Ｓｍｉｔｈ、Ａ．Ｎａｇｕｉｂ、「Ｆｒｏｍ  Ｔｈｅｏｒｙ  ｔｏ  Ｐｒａｃｔｉｃｅ  ：  ａｎ  ｏｖｅｒｖｉｅｗ  ｏｆ  ＭＩＭＯ  ｓｐａｃｅ−ｔｉｍｅ  ｃｏｄｅｄ  ｗｉｒｅｌｅｓｓ  ｓｙｓｔｅｍｓ」、ＩＥＥＥ  ＪＳＡＣ、２００３年４月、Ｖｏｌｕｍｅ２１、Ｉｓｓｕｅ３、ｐｐ．２８１−３０２。
【発明の開示】
【発明が解決しようとする課題】
【００１１】
ゼロフォーシング検出や最小二乗平均誤差検出のような線形処理で良い性能を得るためには、送信アンテナ数Ｍと受信アンテナ数Ｎの間に、Ｍ≦Ｎが成り立っている必要がある。Ｍ＞Ｎであると、伝送特性は著しく劣化してしまう。この問題を回避する手段として、無線受信装置５２の受信アンテナ数を増やすことが考えられる。Ｍ≦Ｎが成り立っている場合でも、無線受信装置５２の受信アンテナ数をさらに増やすことにより、更なる伝送特性の改善が見込むことができる。しかし、無線受信装置５２が移動端末等の小型受信装置である場合、搭載できるアンテナ数に制限があり、伝送特性を向上させるために、単純に受信アンテナ数を増やすことは難しいという問題がある。
【００１２】
本発明は、上記事情に鑑みてなされたものであり、その目的は、受信アンテナを増やすことなく、優れた伝送特性を得ることができる受信装置、通信システム及び通信方法を提供することにある。
【課題を解決するための手段】
【００１３】
上記目的を達成するために、本発明は、複数の送信アンテナを備える送信装置と通信する受信装置であって、前記送信装置の前記複数の送信アンテナから送信される複数の送信信号を受信する少なくとも１本の受信アンテナと、前記複数の送信アンテナと前記受信アンテナとの間の伝搬路応答を推定する伝搬路推定部と、前記受信アンテナが受信した受信信号から検出した検出信号に基づいて送信信号レプリカ信号を生成する送信信号レプリカ生成部と、ブロック分割数を決定するブロック分割数決定部と、前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を、前記ブロック分割数決定部が決定したブロック分割数のブロックにブロック分割を行うブロック分割部と、前記ブロック分割部が複数のブロックに分割した受信信号と前記伝搬路推定部が推定した伝搬路応答とに基づいて前記送信装置が送信した複数の送信信号を検出し、検出した信号である前記検出信号を出力する送信信号検出部と、を備え、同じ受信信号に対して、前記ブロック分割部によるブロック分割と、前記送信信号検出部による送信信号の検出と、前記送信信号レプリカ生成部送信信号レプリカの生成とを繰返し行う繰返し処理を行い、前記繰返し処理の繰返しのうち、少なくとも１回は前記ブロック分割数決定部が決定するブロック分割数が異なる、ことを特徴とする。
【００１４】
また、本発明の前記受信アンテナは複数であり、前記ブロック分割数決定部は、ブロック分割を行う前記複数の受信アンテナが受信する複数の受信信号毎に前記ブロック分割数を決定することを特徴とする。
【００１５】
また、本発明の前記ブロック分割数決定部は、前記繰返し処理を行った回数が増えるにつれて、前記ブロック分割数が不変または増加するように決定することを特徴とする。
これにより、受信装置における仮想的な受信信号の数を増やすことができる。そのため、受信装置の信号分離性能が向上し、受信装置の誤り率特性を向上させることができる。
【００１６】
また、本発明の前記送信信号検出部は、前記送信信号のビットの尤度を検出し、前記送信信号レプリカ生成部は、前記ビットの尤度に基づいて送信信号レプリカを生成することを特徴とする。
【００１７】
また、本発明の前記送信信号検出部は、前記送信信号のビットの尤度を検出し、前記ブロック分割数決定部は、前記ビットの尤度に基づいて前記ブロック分割数を決定することを特徴とする。
これにより、ブロック分割数決定部はブロック分割における分割誤差の変化に応じて適切なブロック分割数を決定することができる。そのため、繰返し処理の収束時間を短縮でき、また分割誤差による影響を抑制させて繰返し処理を行うことができる。
【００１８】
また、本発明の前記ブロック分割数決定部は、前記伝搬路推定部が推定する伝搬路応答に基づいて前記ブロック分割数を決定することを特徴とする。
【００１９】
また、本発明の前記ブロック分割数決定部は、前記送信アンテナの数と前記受信アンテナの数に基づいて前記ブロック分割数を決定することを特徴とする。
これにより、ブロック分割数決定部は信号検出における信号分離性能を予測し、予測した信号分離性能に適したブロック分割数を決定することができる。そのため、繰返し処理の収束時間を短縮でき、また分割誤差による影響を抑制させて繰返し処理を行うことができる。
【００２０】
また、本発明は、送信装置と受信装置とを備える通信システムであって、前記送信装置は、複数の送信アンテナと、前記複数の送信アンテナから送信信号を送信する送信部と、を備え、前記受信装置は、前記送信装置の前記複数の送信アンテナから送信される複数の送信信号を受信する少なくとも１本の受信アンテナと、前記複数の送信アンテナと前記受信アンテナとの間の伝搬路応答を推定する伝搬路推定部と、前記受信アンテナが受信した受信信号から検出した検出信号に基づいて送信信号レプリカ信号を生成する送信信号レプリカ生成部と、ブロック分割数を決定するブロック分割数決定部と、前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を前記ブロック分割数決定部が決定したブロック分割数のブロックにブロック分割を行うブロック分割部と、前記ブロック分割部が複数のブロックに分割した受信信号と前記伝搬路推定部が推定した伝搬路応答とに基づいて前記送信装置が送信した複数の送信信号を検出し、検出した信号である前記検出信号を出力する送信信号検出部と、を備え、同じ受信信号に対して、前記ブロック分割部によるブロック分割と、前記送信信号検出部による送信信号の検出と、前記送信信号レプリカ生成部による前記送信信号検出部が検出した検出信号に基づいた送信信号レプリカの生成とを繰返し行う繰返し処理を行い、前記繰返し処理の繰返しのうち、少なくとも１回は前記ブロック分割数決定部が決定するブロック分割数が異なる、ことを特徴とする。
【００２１】
また、本発明は、複数の送信アンテナと、前記複数の送信アンテナから送信信号を送信する送信部を備える送信装置と、前記送信装置が前記複数の送信アンテナから送信される複数の送信信号を受信する少なくとも１本の受信アンテナを備える受信装置を利用した通信方法であって、前記受信装置における伝搬路推定部は、前記複数の送信アンテナと前記受信アンテナとの間の伝搬路応答を推定し、前記受信装置における送信信号レプリカ生成部は、前記受信アンテナが受信した受信信号から検出した検出信号に基づいて送信信号レプリカ信号を生成し、前記受信装置におけるブロック分割数決定部は、ブロック分割数を決定し、前記受信装置におけるブロック分割部は、前記ブロック分割数決定部が決定したブロック分割数と、前記伝搬路推定部が推定した伝搬路応答と、前記送信信号レプリカ生成部が生成した送信信号レプリカとに基づいて、前記受信アンテナのうち少なくとも１本における受信信号を前記ブロック分割数決定部が決定したブロック分割数のブロックにブロック分割を行い、前記受信装置における送信信号検出部は、前記ブロック分割部が複数のブロックに分割した受信信号と前記伝搬路推定部が推定した伝搬路応答とに基づいて前記送信装置が送信した複数の送信信号を検出し、検出した信号である前記検出信号を出力し、同じ受信信号に対して、前記ブロック分割部によるブロック分割と、前記送信信号検出部による送信信号の検出と、前記送信信号レプリカ生成部による前記送信信号検出部が検出した検出信号に基づいた送信信号レプリカの生成とを繰返し行う繰返し処理を行い、前記繰返し処理の繰返しのうち、少なくとも１回は前記ブロック分割数決定部が決定するブロック分割数が異なる、ことを特徴とする。
【発明の効果】
【００２２】
本発明では、受信アンテナで受信した受信信号をブロックに分割することで、仮想的に受信信号を増やし、繰返し処理においてブロック分割数を変えることで、ブロック分割による分割誤差を低減する。これによって、優れた伝送特性を得ることができる。
【発明を実施するための最良の形態】
【００２３】
（第１の実施形態）
はじめに、本発明の第１の実施形態について説明する。第１の実施形態は、ＭＩＭＯ−ＯＦＤＭ（直交周波数分割多重：Orthogonal Frequency Division Multiplexing）を用いた無線通信システムにおいて、推定した伝搬路応答に基づいてブロック分割数を決定する本発明を適用した例である。本実施形態における無線通信システムは、複数の送信アンテナから送信信号を送信する無線送信装置１００と、無線送信装置１００が送信する信号を受信する無線受信装置２００とを備える。
【００２４】
図１は、第１の実施形態における無線送信装置１００（送信装置）の構成を示す概略ブロック図である。無線送信装置１００は、複数の送信アンテナ１０９−１〜１０９−Ｍと、複数の送信アンテナ１０９−１〜１０９−Ｍから送信信号を送信する送信部１１１−１〜１１１−Ｍとパイロット信号生成部１１０を備える。送信部１１１−１は、符号部１０１−１、変調部１０２−１、ＩＦＦＴ（逆高速フーリエ変換：Inverse Fast Fourier Transform）部１０３−１、パイロット多重部１０４−１、ＧＩ挿入部１０５−１、Ｄ／Ａ（デジタル／アナログ：Digital/Analog）変換部１０６−１、送信フィルタ部１０７−１、無線部１０８−１を備える。なお、送信部１１１−２〜１１１−Ｍの構成・機能は、送信部１１１−１のものと同じであるので、これらの説明を省略する。
【００２５】
無線送信装置１００における符号部１０１−１は、情報ビットに対し、畳み込み符号、ターボ符号等の誤り訂正符号化を行う。変調部１０２−１は、符号部１０１−１で符号化された符号化ビットを、ＱＰＳＫ（４相位相変調：Quadrature Phase Shift Keying）、１６ＱＡＭ（１６値直交振幅変調：16Quadrature Amplitude Modulation）等の変調シンボルにマッピングする。ＩＦＦＴ部１０３−１は、変調部１０２−１でマッピングされた変調シンボルを逆フーリエ変換する。
【００２６】
パイロット多重部１０４−１は、ＩＦＦＴ部１０３−１で逆フーリエ変換された信号に、パイロット信号生成部１１０が生成するパイロット信号を多重する。ＧＩ（ガードインターバル：Guard Interval）挿入部１０５−１は、パイロット多重部１０４−１で多重された信号にガードインターバルを付加する。Ｄ／Ａ変換部１０６−１は、ＧＩ挿入部１０５−１でガードインターバルを付加された信号をデジタル／アナログ変換する。送信フィルタ部１０７−１は、Ｄ／Ａ変換部１０６−１でデジタル／アナログ変換された信号を波形整形する。無線部１０８−１は、送信フィルタ部１０７−１で波形整形された信号を無線周波数に変換する。送信アンテナ１０９−１は、無線部１０８−１で無線周波数に変換された信号を無線受信装置２００（図２）に送信する。このようにして各送信部１１１−１〜１１１−Ｍで生成される送信信号を並列に複数（Ｍ個）生成し、複数の送信アンテナ１０９−１〜１０９−Ｍを用いて、同一周波数、同一タイミングで送信する。
【００２７】
図２は、第１の実施形態における無線受信装置２００（受信装置）の構成を示す概略ブロック図である。無線受信装置２００は、受信アンテナ２０１−１〜２０１−Ｎ、無線部２０２−１〜２０２−Ｎ、受信フィルタ部２０３−１〜２０３−Ｎ、Ａ／Ｄ（アナログ／デジタル：Analog/Digital）変換部２０４−１〜２０４−Ｎ、ブロック分割部２０５−１〜２０５−Ｎ、ブロック分割制御部２０６（ブロック分割数決定部）、送信信号検出部２０７、送信信号レプリカ生成部２０８、伝搬路推定部２０９を備える。
【００２８】
図３は、第１の実施形態におけるブロック分割部２０５−１の構成を示す概略ブロック図である。ブロック分割部２０５−１は、Ｂ個（Ｂは１以上の整数）のブロック毎信号処理部２５０−１〜２５０−Ｂを備える。ブロック毎信号処理部２５０−１は、他ブロックレプリカ生成部２５１、減算部２５２、ＧＩ除去部２５３、ＦＦＴ（高速フーリエ変換：Fast Fourier Transform）部２５４を備える。なお、ブロック分割部２０５−２〜２０５−Ｎの構成・機能は、ブロック分割部２０５−１のものと同じであるので、それらの説明を省略する。また、ブロック毎信号処理部２５０−２〜２５０−Ｂの構成・機能は、ブロック毎信号処理部２５０−１のものと同じであるので、それらの説明を省略する。
【００２９】
図４は、第１の実施形態における送信信号検出部２０７の構成を示す概略ブロック図である。送信信号検出部２０７は、信号分離部２７１、復調部２７２−１〜２７２−Ｍ、復号部２７３−１〜２７３−Ｍを備える。
図５は、第１の実施形態における送信信号レプリカ生成部２０８の構成を示す概略ブロック図である。送信信号レプリカ生成部２０８は、シンボルレプリカ生成部２８１−１〜２８１−Ｍ、ＩＦＦＴ部２８２−１〜２８２−Ｍ、パイロット多重部２８３−１〜２８３−Ｍ、ＧＩ挿入部２８４−１〜２８４−Ｍを備える。
【００３０】
無線受信装置２００（図２）は、無線送信装置１００（図１）から送信され、マルチパス伝搬路を通った送信信号を受信する。無線受信装置２００における受信アンテナ２０１−１は、無線送信装置１００の複数の送信アンテナ１０９−１〜１０９−Ｍから送信される複数の送信信号を受信する。無線部２０２−１は、受信アンテナ２０１−１で受信された信号を、無線周波数からベースバンド信号に変換する。受信フィルタ部２０３−１は、無線部２０２−１で変換された受信ベースバンド信号を波形整形する。Ａ／Ｄ変換部２０４−１は、受信フィルタ部２０３−１で波形整形された信号をアナログ／デジタル変換する。なお、受信アンテナ２０１−２〜２０１−Ｎ、無線部２０２−２〜２０２−Ｎ、Ａ／Ｄ変換部２０３−２〜２０３−Ｎの構成・機能は、受信アンテナ２０１−１、無線部２０２−１、Ａ／Ｄ変換部２０３−１のものと同じであるので、それらの説明を省略する。
【００３１】
Ａ／Ｄ変換部２０４−１でアナログ／デジタル変換された同じ信号に対して、すなわち同じ受信信号に対して、ブロック分割部２０５−１〜２０５−Ｎによるブロック分割と、送信信号検出部２０７による送信信号の検出と、送信信号レプリカ生成部２０８による送信信号レプリカの生成とを繰返し行う処理（以下、「繰返し処理」と表記）は、少なくとも２回ずつ行われる。１回目の繰返し処理において、送信信号レプリカ生成部２０８で送信信号レプリカが生成されていない場合は、送信信号のビットＬＬＲ（対数尤度比：Log Likelihood Ratio）を零として、処理を行う。
【００３２】
各受信アンテナ２０１−１〜２０１−Ｎの受信信号のパイロット信号は、Ａ／Ｄ変換部２０４−１〜２０４−Ｎの出力において分離されて、伝搬路推定部２０９に入力される。伝搬路推定部２０９は、パイロット信号の信号値を検出して、複数の送信アンテナ１０９−１〜１０９−Ｍと受信アンテナ２０１−１〜２０１−Ｎとの間の伝搬路応答を推定する。
ブロック分割部２０５−１〜２０５−Ｎのうち、少なくとも１つは、伝搬路推定部２０９が推定した伝搬路応答と、送信信号レプリカ生成部２０８が生成した送信信号レプリカとに基づいて、受信アンテナ２０１−１〜２０１−Ｎのうち少なくとも１つにおける受信信号をブロック分割制御部２０６が決定したブロック分割数のブロックにブロック分割を行う。
【００３３】
ブロック分割制御部２０６は、伝搬路推定部２０９が推定した伝搬路応答に基づいて、複数の受信アンテナ２０１−１〜２０１−Ｎが受信する複数の受信信号毎にブロック分割数およびブロック分割方法を決定し、繰返し処理毎のブロック分割制御情報を生成する。ブロック分割制御情報には、ブロック分割数およびブロック分割方法を示す情報が含まれる。
ここで、ブロックとは、各受信アンテナ２０１−１〜２０１−Ｎからの受信信号の複数の伝搬路応答を分割する区画のことである。
ブロック分割方法としては、例えば、検出した到来波の伝搬路応答の数を等分することでブロック分割するような、検出した到来波の伝搬路応答の数を基準に設定した分割方法、検出した到来波の伝搬路応答における最初の１本を受信してから最後の１本を受信するまでの時間を等分することでブロック分割するような、到来波の遅延時間を基準に設定した分割方法、検出した到来波の伝搬路応答の受信電力が大きい順にブロック分割するような、到来波の受信電力を基準に設定した分割方法など様々な方法が考えられるが、これらに限定するものではない。
本実施形態では、繰返し処理の繰返しのうち、少なくとも１回は、ブロック分割部２０５−１〜２０５−Ｎで用いられるブロック分割制御情報、特にブロック分割数を変える。好ましくは、ブロック分割制御部２０６は、繰返し処理を行った回数が増えるにつれて、ブロック分割の数が不変または増加するように決定する。これにより、ブロック分割により生じる除去残差（分割誤差）を抑えつつ、仮想的な受信信号の数を増やすことができる。
【００３４】
ブロック分割部２０５−１（図３）のブロック毎信号処理部２５０−１において、他ブロックレプリカ生成部２５１は、送信信号レプリカ生成部２０８（図２）が作成した送信信号レプリカと、伝搬路推定部２０９（図２）が推定した伝搬路応答と、ブロック分割制御部２０６（図２）が出力したブロック分割制御情報と、を用いて他ブロックのレプリカを生成する。他ブロックレプリカ生成部２５１の処理は後で詳しく説明する。減算部２５２は、Ａ／Ｄ変換部２０４−１でアナログ／デジタル変換された信号から、他ブロックレプリカ生成部２５１で生成された他ブロックのレプリカを減算する。ＧＩ除去部２５３は、減算部２５２で他ブロックのレプリカを減算した信号のガードインターバルを除去する。ＦＦＴ部２５４は、ＧＩ除去部２５３でガードインターバルが除去された信号をフーリエ変換する。
【００３５】
以下にブロック分割部２０５−１で行う他ブロックのレプリカの減算について説明する。
図６（ａ）、図６（ｂ）は、本発明の第１の実施形態における無線受信装置２００のブロック分割部２０５−１〜２０５−Ｎで行われる遅延波成分のレプリカの減算の処理について説明するための図である。図６（ａ）、図６（ｂ）では、横軸に時間をとり、縦軸に電力をとった場合の遅延プロファイルを示している。ｐ１〜ｐ１２は、１つの受信アンテナが全ての送信アンテナから送信される送信信号を受信したときの、マルチパス伝搬路における各到来波の伝搬路応答の一例である。ここでは、図６（ｂ）に示すように、１２個の到来波をブロックｂ１、ブロックｂ２、ブロックｂ３の３ブロックに分割する例を示す。図６（ｂ）は時間軸上で等間隔に分割した例であり、各ブロックには４パス（伝搬路応答）ずつ含まれる。
【００３６】
図７（ａ）〜図７（ｃ）は、ブロック分割を行う様子を示す図である。ブロックｂ１を生成するには、図７（ａ）に示すように、ｐ５〜ｐ１２成分（伝搬路応答）を生成し、受信信号から減算する。ブロックｂ２を生成するには、図７（ｂ）に示すように、ｐ１〜ｐ４、ｐ９〜ｐ１２成分を生成し、受信信号から減算する。ブロックｂ３を生成するためには、図７（ｃ）に示すように、ｐ１〜ｐ８成分を生成し、受信信号から減算する。このようにマルチパスをブロックで分割することにより、各ブロック分割部２０５−１〜２０５−Ｎの出力は独立な信号となり、仮想的に受信アンテナを増設して受信信号が増えた状態になる。
【００３７】
以下に送信信号レプリカ生成部２０８（図５）の処理を説明する。シンボルレプリカ生成部２８１−１は、受信アンテナ２０１−１〜２０１−Ｎが受信した受信信号から検出した検出信号に基づいて送信信号レプリカ信号を生成する。すなわち、シンボルレプリカ生成部２８１−１は、送信信号検出部２０７（図２）から入力されたビットＬＬＲ（検出信号、ビットの尤度）を変調シンボルレプリカ（送信信号レプリカ信号）に変換する。ビットＬＬＲからシンボルレプリカを生成する方法を、ＱＰＳＫ変調を例にして説明する。ＱＰＳＫ変調シンボルを構成するビットのＬＬＲをλ（ｂ０），λ（ｂ１）とすると、ＱＰＳＫの変調シンボルのレプリカは式（６）のように表せる。
【００３８】
【数６】
2010028210.tif 000008
【００３９】
ただし、ｊは虚数を表す。なお、シンボルレプリカ生成部２８１−１では、入力されたビットＬＬＲ、つまり軟判定値に基づいてシンボルレプリカを生成する場合を説明したが、入力されたビットＬＬＲを硬判定してシンボルレプリカを生成してもよい。
【００４０】
ＩＦＦＴ部２８２−１は、シンボルレプリカ生成部２８１−１が生成したシンボルレプリカを逆フーリエ変換する。パイロット多重部２８３−１は、ＩＦＦＴ部２８２−１が逆フーリエ変換したレプリカにパイロット信号を多重する。ＧＩ挿入部２８４−１は、パイロット多重部２８３−１の出力にガードインターバルを挿入する。この処理を、シンボルレプリカ生成部２８１−１〜２８１−Ｎ、ＩＦＦＴ部２８２−１〜２８２−Ｎ、パイロット多重部２８３−１〜２８３−Ｎ、ＧＩ挿入部２８４−１〜２８４−Ｎで並列に実行する。
【００４１】
なお、シンボルレプリカ生成部２８１−２〜２８１−Ｎ、ＩＦＦＴ部２８２−２〜２８２−Ｎ、パイロット多重部２８３−２〜２８３−Ｎ、ＧＩ挿入部２８４−２〜２８４−Ｎの構成・機能は、シンボルレプリカ生成部２８１−１、ＩＦＦＴ部２８２−１、パイロット多重部２８３−１、ＧＩ挿入部２８４−１のものと同じであるので、それらの説明を省略する。
【００４２】
以下にブロック分割に用いるレプリカ信号を生成する他ブロックレプリカ生成部２５１（図３）の処理を説明する。
上記説明のとおり、ブロック分割部２０５−１〜２０５−Ｎの各々に設けられた他ブロックレプリカ生成部２５１は、送信信号レプリカ生成部２０８（図２）が作成した送信信号レプリカと、伝搬路推定部２０９（図２）が推定した伝搬路応答と、ブロック分割制御部２０６（図２）が出力したブロック分割制御情報と、を用いて他ブロックのレプリカを生成する。他ブロックレプリカ生成部２５１は、伝搬路推定部２０９が推定した伝搬路応答を、ブロックに分けられた伝搬路に畳み込む演算を行うことによって、ブロック分割のための他ブロックレプリカ信号を生成する。
【００４３】
ここで、伝搬路推定部２０９で推定した伝搬路応答をｈとし、送信信号レプリカ生成部２０８出力をｓとし、ブロックｂ１、ブロックｂ２、ブロックｂ３の３ブロックに分割する場合の他ブロックレプリカ生成部２５１の処理を説明する。ここで、送信アンテナ数Ｍ、受信アンテナ数Ｎを共に２本として説明する。ブロックｂ１を抽出するための他ブロックレプリカ信号をｒ１、ブロックｂ１を抽出するための伝搬路応答、つまり図７（ａ）の点線で示すブロックｂ２、ｂ３の到来波の伝搬路応答を含み、ブロックｂ１の到来波の伝搬路応答を含まない伝搬路応答をｈ１とする。このときｈ１は２×２のＭＩＭＯシステムとしているため、式（７）のように表せる。
【００４４】
【数７】
2010028210.tif 000009
【００４５】
ただしｈ１の各要素は、各送信アンテナ１０９−１〜１０９−Ｍと、受信アンテナ２０１−１〜２０１−Ｎと、の間におけるブロックｂ１を抽出するための伝搬路応答である。また、ｈ１の各要素の下付き数字は、受信アンテナ２０１−１〜２０１−Ｎ及び送信アンテナ１０９−１〜１０９−Ｍのインデックスを示している。例えばｈ１１２は、２本目の送信アンテナ１０９−２と、１本目の受信アンテナ２０１−１と、を結ぶ伝搬路における伝搬路応答を表している。他ブロックレプリカ生成部２５１の出力のうち、ブロックｂ１を抽出するための他ブロックレプリカ信号であるベクトルｒ１は式（８）のように表せる。
【００４６】
【数８】
2010028210.tif 000010
【００４７】
またベクトルｒ１の要素ｒ１１、ｒ１２はそれぞれｒ１のうち１本目の受信アンテナ２０１−１成分、２本目の受信アンテナ２０１−２成分を表し、ｓ１、ｓ２は１本目の送信アンテナ１０９−１が送信する信号の成分、２本目の送信アンテナ１０９−２が送信する信号の成分を表している。そのため、ｒ１１はブロック分割部２０５−１のブロック毎信号処理部２５０−１の他ブロックレプリカ生成部２５１で生成され、ｒ１２はブロック分割部２０５−２のブロック毎信号処理部２５０−１の他ブロックレプリカ生成部２５１で生成される。ブロックｂ２、ｂ３の場合も同様に、ブロックｂ２を抽出するための他ブロックレプリカ信号をｒ２、ｂ２を抽出するための伝搬路応答をｈ２とし、ｂ３を抽出するための他ブロックレプリカ信号をｒ３、ｂ３を抽出するための伝搬路応答をｈ３とすると、伝搬路乗算部の出力は式（９）、式（１０）のように表せる。
【００４８】
【数９】
2010028210.tif 000011
【００４９】
【数１０】
2010028210.tif 000012
【００５０】
このとき、ｒ２１はブロック分割部２０５−１のブロック毎信号処理部２５０−２の他ブロックレプリカ生成部２５１で生成され、ｒ２２はブロック分割部２０５−２のブロック毎信号処理部２５０−２の他ブロックレプリカ生成部２５１で生成される。また、ｒ３１はブロック分割部２０５−１のブロック毎信号処理部２５０−３の他ブロックレプリカ生成部２５１で生成され、ｒ３２はブロック分割部２０５−２のブロック毎信号処理部２５０−３の他ブロックレプリカ生成部２５１で生成される。
他ブロックレプリカ生成部２５１が出力する他ブロックレプリカ信号ｒ１、ｒ２、ｒ３は減算部２５２へ入力され、減算部２５２が減算を行うことで、ブロック分割が行われる。例えば、受信アンテナ２０１−１からの受信信号から（すなわち、Ａ／Ｄ変換部２０４−１の出力から）ｒ１を減算するとブロックｂ１が出力される。
【００５１】
以下にブロック分割部２０５−１〜２０５−Ｎが複数のブロックに分割した受信信号と伝搬路推定部２０９が推定した伝搬路応答とに基づいて無線送信装置１００が送信した複数の送信信号を検出し、検出した信号である検出信号を出力する、送信信号検出部２０７（図４）の処理を説明する。送信信号検出部２０７の信号分離部２７１は、ブロック分割部２０５−１〜２０５−Ｎ（図２）が分割したブロックを用いて、無線送信装置１００（図１）の各送信アンテナ１０９−１〜１０９−Ｍで送信された信号を推定する。復調部２７２−１は、信号分離部２７１で推定した信号をビットＬＬＲ（送信信号のビットの尤度）に変換する。復号部２７３−１は、復調部２７２−１が変換した符号化ビットＬＬＲを復号処理し、尤度が更新された符号化ビットＬＬＲもしくは情報ビットに変換する。
また、復調部２７２−２〜２７２−Ｎ、復号部２７３−２〜２７３−Ｎの構成・機能は、復調部２７２−１、復号部２７３−１のものと同じであるので、これらの説明を省略する。
【００５２】
以下に信号分離部２７１の処理を説明する。ここで、送信アンテナ数、受信アンテナ数をそれぞれＭ、Ｎとする。ブロック分割数は受信アンテナ毎に異なってもよいが、ここでは一例として全ての受信アンテナ２０１−１〜２０１−Ｎで同じブロック分割数Ｂを用いて説明する。また、空間多重を行う送信信号の数（送信ストリーム数）と送信アンテナ数は異なってもよいが、ここでは一例としてそれぞれの送信アンテナ１０９−１〜１０９−Ｍからそれぞれの送信ストリームを送信する場合を説明する。ブロック分割する前はＭ×ＮのＭＩＭＯシステムであるが、ブロック分割して仮想的に受信信号数を増やしたので、ブロック分割後は、Ｍ×ＮＢのＭＩＭＯシステムとなっている。信号分離部２７１は、各サブキャリアでＮＢ本の受信信号から、Ｍ本の送信信号を推定する。このとき第ｋサブキャリアにおける受信信号は式（１１）〜式（１５）のように表せる。
【００５３】
【数１１】
2010028210.tif 000013
【００５４】
【数１２】
2010028210.tif 000014
【００５５】
【数１３】
2010028210.tif 000015
【００５６】
【数１４】
2010028210.tif 000016
【００５７】
【数１５】
2010028210.tif 000017
【００５８】
ただし、式（１１）の左辺のベクトルＲ（ｋ）は式（１２）に示すように、無線受信装置２００におけるブロック分割部２０５−１〜２０５−Ｎの出力を要素に持つＮＢ×１のベクトルである。また、式（１３）の左辺の行列Ｈ（ｋ）は各ブロックで抽出したパスの周波数応答を要素に持つＮＢ×Ｍの行列である。また、式（１４）の左辺の行列Ｓ（ｋ）は送信側の変調シンボルを要素に持つＭ×１のベクトルである。式（１５）の左辺のベクトルＮ（ｋ）は各ブロック分割部の出力の雑音を要素に持つＮＢ×１のベクトルである。
【００５９】
Ｈ（ｋ）について、前述したｈ１、ｈ２、ｈ３を例に用いて説明する。ｈからｈ１、ｈ２、ｈ３に含まれる到来波以外を抽出した到来波成分の伝搬路応答をそれぞれｈ〜１、ｈ〜２、ｈ〜３とする。ｈ〜１、ｈ〜２、ｈ〜３はブロック分割後のそれぞれのブロックの伝搬路応答と見なせる。ｈ〜１、ｈ〜２、ｈ〜３をフーリエ変換したものをそれぞれ行列Ｈ１（ｋ）、行列Ｈ２（ｋ）、行列Ｈ３（ｋ）とすると、行列Ｈ１（ｋ）、行列Ｈ２（ｋ）、行列Ｈ３（ｋ）は、それぞれ式（１６）、式（１７）、式（１８）のように表せる。
【００６０】
【数１６】
2010028210.tif 000018
【００６１】
【数１７】
2010028210.tif 000019
【００６２】
【数１８】
2010028210.tif 000020
【００６３】
このとき行列Ｈ（ｋ）は、式（１９）のように表せる。
【００６４】
【数１９】
2010028210.tif 000021
【００６５】
式（１９）から分かるように、元々２×２のＭＩＭＯシステムであったが、各受信アンテナで３ブロックに分割することにより、２×６のＭＩＭＯシステムにすることができる。
【００６６】
ベクトルＲ（ｋ）からベクトルＳ（ｋ）を検出するために、ここではＺＦ（ゼロフォーシング：Zero-Forcing）基準やＭＭＳＥ（最小二乗平均誤差：Minimum Mean Square Error）基準の重み係数を用いる。ＺＦ基準の重みＭＺＦ（ｋ）は、例えば式（２０−１）または式（２０−２）のようになる。また、ＭＭＳＥ基準の重みＭＭＭＳＥ（ｋ）は例えば式（２１−１）または式（２１−２）のようになる。
【００６７】
【数２０】
2010028210.tif 000022
【００６８】
【数２１】
2010028210.tif 000023
【００６９】
ただし、式（２０−１）、式（２０−２）、式（２１−１）、式（２１−２）における行列の右肩の記号Ｈはその行列の複素共役転置であることを表し、行列の右肩の記号−１はその行列の逆行列であることを表す。また、σ２は雑音電力であり、ＩＮはＮ×Ｎの単位行列である。ベクトルＳ（ｋ）の検出は、ベクトルＲ（ｋ）の左から行列ＭＺＦ（ｋ）、行列ＭＭＭＳＥ（ｋ）を乗算することで行なう。ここではＺＦ基準、ＭＭＳＥ基準の線形処理について説明したが、ＭＬ（最大尤度：Maximum Likelihood）基準のような非線形処理を用いても良い。
【００７０】
ただし、送信信号レプリカ生成部２０８の出力の精度が完全ではないために、ブロック分割する際に生じる誤差を考慮して、式（２１−１）、式（２１−２）のσ２に雑音と誤差を考慮したものにしても良い。また、式（２０−１）、式（２０−２）、式（２１−１）、式（２１−２）で、行列Ｈ（ｋ）に誤差を考慮しても良い。例えば、前述したブロック分割後のブロックｂ１の伝搬路応答ｈ〜１をｈ１の到来波成分を含まないｈとしたが、符号化ビットＬＬＲやビットＬＬＲに基づいて生成される変調シンボルレプリカの精度に応じて、ｈ〜１にｈ１の到来波成分を含ませてもよい。
【００７１】
ビットＬＬＲの絶対値が大きいと、完全なレプリカが生成される可能性が高いため、ブロック分割の誤差はなく、ｈ〜１にｈ１の成分は全く含まれない。しかし、ビットＬＬＲの絶対値が徐々に小さくなるにつれ、ブロック分割の誤差が増えるため、ｈ〜１に含まれるｈ１の成分は大きくなっていく。ビットＬＬＲの絶対値が０になると、ｈ〜１にはｈ１がそのまま含まれることになる。これはブロックｂ２、ｂ３でも同様である。結果として、行列Ｈ（ｋ）にはブロック分割の誤差が反映され、誤差の影響が反映された行列Ｈ（ｋ）に基づいて、式（２０−１）、式（２０−２）、式（２１−１）、式（２１−２）のように重みＭＺＦ（ｋ）、ＭＭＭＳＥ（ｋ）を求めると、ブロック分割の誤差を反映した重みを求めることができる。
【００７２】
以下に、復調部２７２−１の処理を説明する。上記の説明の通り、復調部２７２−１は、信号分離部２７１で推定した信号をビットＬＬＲに変換する。ここでは、ＱＰＳＫ変調の場合を例として、ビットＬＬＲを算出する。無線送信装置１００（図１）で送信されたＱＰＳＫシンボルをＸとし、信号分離部２７１で推定したシンボルをＸｃとして説明する。Ｘを構成しているビットをｂ０、ｂ１（ｂ０、ｂ１＝±１）とするとＸは式（２２）のように表せる。
【００７３】
【数２２】
2010028210.tif 000024
【００７４】
無線受信装置１００におけるＸの推定値Ｘｃからビットｂ０、ｂ１のＬＬＲλ（ｂ０）、λ（ｂ１）を式（２３）のように求める。
【００７５】
【数２３】
2010028210.tif 000025
【００７６】
ただし、Ｒｅ（）は複素数の実部を表す。また、μは伝搬路補償後の等価振幅であり、式（２１−１）、式（２１−２）を例に説明すると、ＭＭＭＳＥＨ（ｋ）の要素のうち、対応する送信アンテナ成分である。また、λ（ｂ１）はλ（ｂ０）の実部と虚部を置き換えればよい。
【００７７】
以下に、繰返し処理ごとにブロック分割制御部２０６（図２）が異なるブロック分割数を設定する理由を説明する。
図８（ａ）〜図８（ｄ）は、繰返し処理ごとにブロック分割制御部２０６が異なるブロック分割数を設定する場合の一例を示す図である。ここでは、図８（ａ）に示すように、無線受信装置２００（図２）が、１２パスのマルチパスｐ１０１〜ｐ１１２を受信した場合を示している。図８（ａ）〜図８（ｄ）において、横軸には時間をとっており、縦軸には受信電力をとっている。
【００７８】
図８（ｂ）は、繰返し処理回数が１回目のときにおけるブロック分割数が１の場合を示している。図８（ｂ）では、パスｐ１０１〜ｐ１１２をブロックｂ１０１に設定している。
図８（ｃ）は、繰返し処理回数が２回目のときにおけるブロック分割数が３の場合を示している。図８（ｃ）では、パスｐ１０１〜ｐ１０４をブロックｂ２０１に設定し、パスｐ１０５〜ｐ１０８をブロックｂ２０２に設定し、パスｐ１０９〜ｐ１１２をブロックｂ２０３に設定している。
図８（ｄ）は、繰返し処理回数が３回目のときにおけるブロック分割数が６の場合を示している。図８（ｄ）では、パスｐ１０１、ｐ１０２をブロックｂ３０１に設定しており、パスｐ１０３、ｐ１０４をブロックｂ３０２に設定しており、パスｐ１０５、ｐ１０６をブロックｂ３０３に設定しており、パスｐ１０７、ｐ１０８をブロックｂ３０４に設定しており、パスｐ１０９、ｐ１１０をブロックｂ３０５に設定しており、パスｐ１１１、ｐ１１２をブロックｂ３０６に設定している。
【００７９】
第１の実施形態において、ブロック分割数が大きいほど、仮想的な受信信号の数を増やすことができるため、ＭＩＭＯの信号分離性能を向上させ、誤り率特性を改善させることができる。しかし、その一方で、ブロック分割を行う際に生じる分割誤差に起因して、ブロック分割数を大きくするにつれて誤り率特性の改善が制限されるという問題がある。そこで、図８のように繰返し処理毎にブロック分割数を変更することによって、この問題を解決する。
【００８０】
第１の実施形態では、上記説明のとおり、まず送信信号レプリカを生成し、生成した送信信号レプリカと伝搬路推定部２０９が推定した伝搬路応答に基づいて、各ブロックに対応した他ブロックレプリカを生成する。そして、受信信号から生成した他ブロックレプリカを減算することによりブロック分割を行っている。ここで、用いる送信信号レプリカの不確定性により、分割誤差が生じることになる。
図９（ａ）〜図９（ｃ）は、本発明の第１の実施形態による効果を説明する図である。図９（ａ）〜図９（ｃ）は、横軸に時間をとっており、縦軸に受信電力をとっている。図９（ａ）〜図９（ｃ）は、１２パスのマルチパスｐ１〜ｐ１２に対してブロック分割数を３としたときに、分割誤差が生じている様子を示している。
【００８１】
図９（ａ）〜図９（ｃ）では、ブロックｂ１にマルチパスｐ１〜ｐ４が含まれるように、ブロックｂ２にマルチパスｐ５〜ｐ８が含まれるように、ブロックｂ３にマルチパスｐ９〜ｐ１２が含まれるように、ブロックｂ１〜ｂ３の所定のブロックをそれぞれ設定している。例えば、図９（ａ）で示すように、ブロックｂ１に含まれる到来波を得るために、ブロックｂ２およびｂ３に含まれる到来波に相当する送信信号レプリカに基づいて生成した、他ブロックレプリカを受信信号から減算する。送信信号レプリカが理想的であれば、ブロックｂ２およびｂ３に含まれる到来波を完全に除去することができ、ブロックｂ１に含まれる到来波のみを得ることができる。
【００８２】
しかし、繰返し処理の回数が少ない場合等においては、送信信号レプリカに不確定性が生じているため、それに起因して分割誤差が生じることになる。同様に、図９（ｂ）および図９（ｃ）に示すようにブロックｂ２およびｂ３においても、それぞれ分割誤差が生じる。そして、この分割誤差が大きいほど、誤り率特性に対する影響も大きくなる。
【００８３】
図１０（ａ）、図１０（ｂ）は、ブロック分割数の違いによる分割誤差の影響を説明する図である。図１０（ａ）、図１０（ｂ）は、横軸に時間をとっており、縦軸に受信電力をとっている。図１０（ａ）は、１２パスのマルチパスｐ１〜ｐ１２に対してブロック分割数を３としたときに、分割誤差が生じている様子を示している。図１０（ｂ）は、１２パスのマルチパスｐ１〜ｐ１２に対してブロック分割数を６としたときに、分割誤差が生じている様子を示している。
【００８４】
図１０（ａ）のブロックｂ１２およびｂ１３の分割誤差は、図１０（ｂ）のブロックｂ２３〜ｂ２６の分割誤差と同じである。そのため、図１０（ａ）に示すブロック分割数が３のときと、図１０（ｂ）に示すブロック分割数が６のときとを比べると、図１０（ｂ）のほうが、ブロックｂ２２の分割誤差の分だけ大きくなる。これは、レプリカの不確定性が同じであれば、ブロック分割数が大きいほど、分割誤差による影響が大きくなる、ということを意味している。なお、図６、図７、図８では簡単のため、所望のブロックに含まれる到来波に対する分割誤差は省略している。
【００８５】
図１１は、本発明の第１の実施形態における分割数に対する誤り率特性を示すグラフである。図１１では、横軸に分割数をとっており、縦軸に誤り率特性をとっている。ここで、誤り率特性とは、ブロック分割数で得られるＭＩＭＯの信号分離性能に起因する誤り率特性と分割誤差に対する誤り率特性を示している。
図１１に示すように、分割数が増加するにつれて、仮想的に受信信号が増加し、ＭＩＭＯの信号分離性能は向上するため、誤り率特性は減少する。これは、送信装置が送信する送信ストリーム数に対して、受信信号の数が多ければ多いほど、空間多重（ＭＩＭＯ多重）における干渉を精度よく除去することができるためである。
【００８６】
一方、分割数が増加するにつれて、上記説明の通り、分割誤差に対する誤り率特性は増加する。分割誤差に対する誤り率特性は分割誤差の大きさによって異なり、これは送信信号レプリカの確からしさに相当する。また、分割誤差が小さい場合であれ、大きい場合であれ、分割数が増加するにつれて、その分割誤差は増加する。
【００８７】
図１２は、全ての繰返し処理に対してブロック分割数を固定した場合の誤り率特性を示すグラフである。図１２では、横軸に分割数をとっており、縦軸に誤り率特性をとっている。
図１２に示すように、ブロック分割数が小さい場合のｎ１では、ある繰返し処理における分割誤差による誤り率特性の劣化は小さくなるが、繰返した場合でもＭＩＭＯの信号分離性能に起因する誤り率特性が大きいため、誤り率特性の改善は小さい。すなわち、分割数ｎ１のところの矢印ｗ１の示すように、分割誤差は当初の分割誤差の曲線との交点（矢印ｗ１の尾のところ）から、複数回の繰返しの後に、ＭＩＭＯの信号分離性能の曲線との交点（矢印ｗ１の矢先のところ）まで改善されるが、その誤り率特性の改善は小さい。
【００８８】
その一方で、ブロック分割数が大きい場合のｎ３では、ＭＩＭＯの信号分離性能が向上するため、繰返し処理により期待される誤り率特性の改善は大きい。しかし、ある繰返し処理における分割誤差による誤り率特性の劣化が大きく、バースト的に誤る確率が高くなる。本発明の第１形態は、信号検出と信号復号を複数回繰返すことによって誤り率特性の改善を図るため、送信信号検出部２０７の誤り率特性、特に初回処理における送信信号検出部２０７の誤り率特性が、その後の繰返し処理における誤り率特性の改善効果に大きく影響する。そのため、誤り率特性の劣化が大きいほど、繰返し処理によって得られる誤り率特性の改善効果が小さくなってしまう。つまり、ブロック分割数を固定したときに、ブロック分割数を大きく設定した場合と小さく設定した場合の誤り率特性を比較すると、繰返した場合でもブロック分割数が大きい場合の誤り率特性の方が悪くなることがある。すなわち、分割数ｎ３のところの矢印ｗ１で示すように、分割数ｎ３に固定して複数回繰返した後の分割誤差の改善は、矢印ｗ２のようにＭＩＭＯの信号分離性能の曲線との交点まで伸びずに、「分割数ｎ３に固定し、複数回繰返した後の誤り率特性」を示す横線のところで押さえられて、矢印ｗ３のようにそこで終ってしまう。結果として、誤り率特性は分割数がｎ１のときよりも悪い。
そのため、以上を考慮して、第１の実施形態では、繰返しによる誤り率特性を改善させることを目的として、繰返し回数に対して異なるブロック分割数を設定する。
【００８９】
図１３は、異なるブロック分割数を設定した場合の誤り率特性改善の一例を示すグラフである。図１３では、横軸に分割数をとっており、縦軸に誤り率特性をとっている。図１３では、ブロック分割数の小さい順にｎ１〜ｎ３とし、繰返し回数が多くなるにつれて、ブロック分割数を大きく設定する。
繰返し処理の序盤では、ブロック分割数をｎ１にすることにより、分割誤差による誤り率特性の劣化を抑えることができる。繰返し回数が多くなるにつれて、図中のａ点から次第にブロック分割数がｎ１のときに得られるＭＩＭＯの信号分離性能に起因するｂ点の誤り率特性となる。
【００９０】
そこで、次に、ブロック分割数をｎ２にし、繰返し処理を続行する。ブロック分割数をｎ２にしたｃ点の時点では、ブロック分割数がｎ１のときに比べて、送信信号レプリカの不確定性が小さくなっているため、バースト的に誤る確率が低くなる。
そのため、繰返し処理を続けることにより、ブロック分割数がｎ２のときに得られるＭＩＭＯの信号分離性能に起因するｄ点の誤り率特性まで改善できる。以下同様にブロック分割数を段階的に大きく設定することにより誤り率特性を改善させることができる。すなわち、今度はブロック分割数をｎ３にして処理を続行する。するとｅ点からｆ点の誤り率特性まで分割誤差を改善させることができる。
【００９１】
なお、各繰返し処理時におけるブロック分割数の設定は、ブロック分割数で得られるＭＩＭＯの信号分離性能に起因する誤り率特性でなくてもよい。例えば、マルチパス伝搬路における到来波の最大遅延が、無線送信装置１００（図１）におけるＧＩ挿入部が挿入するガードインターバルの区間を超える場合は、シンボル間干渉やサブキャリア間干渉などが生じるが、これらの干渉に基づいて、ブロック分割数を設定してもよい。また、第１の実施形態では、ＯＦＤＭシステムに本発明を適用した場合を説明したが、ＭＣ−ＣＤＭＡ（Multicarrier-Code Division Multiple Access）にも適用することができ、その場合は、ＭＣＩ（Multi Code Interference：コード間干渉）に基づいて、ブロック分割数を設定してもよい。
【００９２】
以上のように、繰返し処理を行った回数に応じてブロック分割数を設定にすることにより、誤り率特性を改善させることができる。
【００９３】
図１４は、第１の実施形態に記載の発明の効果を示すための計算機シミュレーションによる評価結果を示すグラフである。図１４は、横軸にシンボルあたりの送信電力（Ｅｓ）に対する雑音電力（Ｎ０）の比（Ｅｓ／Ｎ０）をとっており、縦軸にビット誤り率（Ｂｉｔ  Ｅｒｒｏｒ  Ｒａｔｅ）をとっている。
図１４では、２×２ＭＩＭＯと３×２ＭＩＭＯにおいて、ブロック分割数を２に固定した場合（Ｌ１、Ｌ３）（ただし、繰返しの初回ではブロック分割数は１）と、ブロック分割数を変化させた場合（Ｌ２、Ｌ４）の誤り率特性をそれぞれ示している。ブロック分割数を変化させる場合は、繰返し処理回数が、１、２、３、４、５、６のときに、それぞれ分割数を１、２、２、３、３、４とした。２×２ＭＩＭＯと３×２ＭＩＭＯのいずれにおいても、ブロック分割数を２に固定した場合よりも、変化させた場合の誤り率特性が改善していることが分かる。これは、第１の実施形態に記載の発明の効果が得られていることを示している。また、これらの結果は、Ｍ＞Ｎの場合とＭ≦Ｎの場合のいずれにおいても発明の効果が得られることを意味している。
【００９４】
図１５は、図１４の計算機シミュレーションを行うときに用いた主なシミュレーションパラメータを示す表である。図１４から分かるように、第１の実施形態を用いることによって、ＭＩＭＯ−ＯＦＤＭシステムにおいて、受信アンテナを増やすことなく、仮想的に受信信号を増やすことができ、ＭＩＭＯの信号分離性能を向上させ、誤り率特性を改善させることができる。
【００９５】
なお、第１の実施形態では、ブロック分割制御部２０６が受信アンテナ２０１−１〜２０１−Ｎ毎に繰返し処理毎のブロック分割制御情報を生成する場合を説明したが、全てまたは全ての内の一部の受信アンテナで共通に用いられる繰返し処理毎のブロック分割制御情報を生成してもよい。
【００９６】
なお、第１の実施形態では、伝搬路推定部２０９が推定する伝搬路応答は受信アンテナ２０１−１〜２０１−Ｎが受信する受信信号のパイロット信号から推定されるため、全ての繰返し処理において伝搬路応答は変わらない場合を説明したが、送信信号レプリカ生成部２０８の出力を伝搬路推定部２０９へ入力し、伝搬路推定方法として繰返し処理により伝搬路応答を求める方法を用いることで、繰返し処理毎にブロック分割制御情報を生成してもよい。
【００９７】
なお、第１の実施形態では、受信アンテナ２０１−１〜２０１−Ｎが複数（Ｎ＞１）の場合を説明したが、受信アンテナ２０１−１〜２０１−Ｎが１本（Ｎ＝１）の場合でも、第１の実施形態と同様の効果を得ることができる。
【００９８】
なお、第１の実施形態では、受信アンテナ２０１−１〜２０１−Ｎにおける全ての受信信号をブロック分割する場合を説明したが、一部の受信信号をブロック分割する場合でも、第１の実施形態と同様の効果を得ることができる。
【００９９】
（第２の実施形態）
次に、本発明の第２の実施形態について説明する。第２の実施形態は、ブロック分割数を信号の対数尤度比ＬＬＲなどに基づいて設定することにより、ブロック分割を行う際に生じる分割誤差を抑制しつつ、ＭＩＭＯ信号分離性能を向上させ、誤り率特性を改善させた例である。
【０１００】
第２の実施形態の無線送信装置１００の構成・機能は、第１の実施形態の無線送信機１００（図１）のものと同じであるため、説明を省略する。
図１６は、第２の実施形態に係る無線受信装置１２００の構成を示す概略ブロック図である。第２の実施形態は、無線受信装置１２００のブロック分割制御部１２０６（ブロック分割数決定部）への入力及び処理が第１の実施形態と異なり、ブロック分割制御部１２０６は、伝搬路推定部２０９が推定する伝搬路応答に加えて、送信信号検出部２０７が出力する信号の対数尤度比ＬＬＲ（ビットの尤度）にも基づいてブロック分割数を決定し、ブロック分割制御情報を生成する。
なお、無線受信装置１２００の受信アンテナ２０１−１〜２０１−Ｎ、無線部２０２−１〜２０２−Ｎ、受信フィルタ部２０３−１〜２０３−Ｎ、Ａ／Ｄ変換部２０４−１〜２０４−Ｎ、ブロック分割部２０５−１〜２０５−Ｎ、送信信号検出部２０７、送信信号レプリカ生成部２０８、伝搬路推定部２０９の構成・機能は、無線受信装置２００のものと同じであるため、説明を省略する。
【０１０１】
以下では、第１の実施形態と異なる点であるブロック分割制御部１２０６について説明を行う。
第２の実施形態におけるブロック分割制御部１２０６には、伝搬路推定部２０９が推定する伝搬路応答と、送信信号検出部２０７が出力する信号の対数尤度比ＬＬＲが入力される。ブロック分割制御部１２０６では、伝搬路推定部２０９が推定した伝搬路応答と対数尤度比ＬＬＲに基づいて、繰返し処理毎に受信アンテナ２０１−１〜２０１−Ｎ毎のブロック分割制御情報を生成する。
【０１０２】
ここで、ブロック分割制御情報の生成方法としては、第１の実施形態で説明した生成方法に加えて、信号の対数尤度比ＬＬＲに基づいて生成する。例えば、前回の繰返し処理で得られた対数尤度比ＬＬＲと比較したとき、前回の繰返し処理で得られた対数尤度比ＬＬＲよりも今回の繰返し処理で得られた対数尤度比ＬＬＲのほうが大きいならば、ブロック分割における分割誤差が小さくなっていることがわかる。また、前回の繰返し処理で得られた対数尤度比ＬＬＲよりも今回の繰返し処理で得られた対数尤度比ＬＬＲのほうが小さいならば、ブロック分割における分割誤差が大きくなっていることがわかる。
これにより、ブロック分割における分割誤差が小さくなっている場合には、ブロック分割数を増加させ、分割誤差が大きくなっている場合は、ブロック分割数を減少させる。しかし、本発明は、これに限定されるものではない。
【０１０３】
第２の実施形態では、送信信号レプリカの尤度等の情報を用いることで、ブロック分割における分割誤差の変化に応じて適切なブロック分割数を決定することができる。そのため、繰返し処理の収束時間を短縮でき、また分割誤差による影響を抑制させて繰返し処理を行うことができる。
【０１０４】
なお、第２の実施形態では、ブロック分割制御部１２０６が受信アンテナ２０１−１〜２０１−Ｎ毎に繰返し処理毎のブロック分割制御情報を生成する場合を説明したが、全てまたは全ての内の一部の受信アンテナ２０１−１〜２０１−Ｎで共通に用いられる繰返し処理毎のブロック分割制御情報を生成してもよい。
【０１０５】
なお、第２の実施形態では、伝搬路推定部２０９が推定する伝搬路応答は受信アンテナ２０１−１〜２０１−Ｎが受信する受信信号のパイロット信号から推定されるため、全ての繰返し処理において伝搬路応答は変わらない場合を説明したが、送信信号レプリカ生成部２０８の出力を伝搬路推定部２０９へ入力し、伝搬路推定方法として繰返し処理により伝搬路応答を求める方法を用いることで、繰返し処理毎にブロック分割制御情報を生成してもよい。
【０１０６】
なお、第２の実施形態では、ブロック分割制御部１２０６に入力される信号の対数尤度比ＬＬＲは、送信信号検出部２０７の復号部２７３−１〜２７３−Ｎ（図４）が出力する対数尤度比ＬＬＲである場合を説明したが、これに限定するものではなく、例えば、復調部２７２−１〜２７２−Ｎが出力する対数尤度比ＬＬＲを用いてもよい。
【０１０７】
（第３の実施形態）
次に、本発明の第３の実施形態について説明する。第３の実施形態は、ブロック分割数を、送信アンテナ数と受信アンテナ数との差に基づいて設定することにより、ＭＩＭＯ信号分離性能に応じて効率的に繰返し処理を行う例である。第１の実施形態では送信アンテナ数を無線受信装置の既知情報としたが、第３の実施形態では無線送信装置が送信アンテナ数を決定するため、送信アンテナ数の情報を送信信号に多重することで無線受信装置に通知する。
【０１０８】
図１７は、第３の実施形態に係る無線送信装置２１００の構成を示す概略ブロック図である。第３の実施形態に係る無線送信装置２１００は、送信制御情報生成部２１１１と多重部２１１２−１〜２１１２−Ｍを備え、送信制御情報、特に送信アンテナ数の情報を無線受信装置２２００（図１８）に通知する点が、図１に示した第１の実施形態に係る無線送信装置１００と異なる。
なお、無線送信装置２１００の符号部１０１−１〜１０１−Ｍ、変調部１０２−１〜１０２−Ｍ、ＩＦＦＴ部１０３−１〜１０３−Ｍ、パイロット多重部１０４−１〜１０４−Ｍ、ＧＩ挿入部１０５−１〜１０５−Ｍ、Ｄ／Ａ変換部１０６−１〜１０６−Ｍ、送信フィルタ部１０７−１〜１０７−Ｍ、無線部１０８−１〜１０８−Ｍ、送信アンテナ１０９−１〜１０９−Ｍの構成・機能は、無線送信装置１００のものと同じであるため、説明を省略する。
【０１０９】
以下では、第１の実施形態と異なる点である送信制御情報生成部２１１１と多重部２１１２−１〜２１１２−Ｍの説明を行う。
送信制御情報生成部２１１１では、無線送信装置２１００が無線受信装置２２００（図１８）に通知する送信制御情報を生成する。ここでは、特に送信アンテナ数に関する情報を生成する。多重部２１１２−１では、送信制御情報生成部２１１１が出力した送信制御情報を情報ビットに対して多重を行い、符号部１０１−１に出力する。なお、多重部２１１２−２〜２１１２−Ｍの構成・機能は、多重部２１１２−１のものと同じであるので、それらの説明を省略する。
【０１１０】
図１８は、第３の実施形態に係る無線受信装置２２００の構成を示す概略ブロック図である。第３の実施形態に係る無線受信装置２２００は、図２に示した第１の実施形態に係る無線受信装置２００とは、分離部２２１０−１〜２２１０−Ｍを備え、無線送信装置２１００が通知する送信制御情報、特に無線送信装置２１００（図１７）の送信アンテナ数を受信し、その送信アンテナ数と無線受信装置２２００が予め分かっている受信アンテナ数との差に基づいて、ブロック分割制御部２２０６でブロック分割制御情報を生成する点が異なる。
なお、無線受信装置２２００の受信アンテナ２０１−１〜２０１−Ｎ、無線部２０２−１〜２０２−Ｎ、Ａ／Ｄ変換部２０３−１〜２０３−Ｎ、ブロック分割部２０５−１〜２０５−Ｎ、送信信号検出部２０７、送信信号レプリカ生成部２０８、伝搬路推定部２０９の構成・機能は、無線受信装置２００のものと同じであるため、説明を省略する。
【０１１１】
以下では、第１の実施形態と異なる点である分離部２２１０−１〜２２１０−Ｍとブロック分割制御部２２０６の説明を行う。
送信信号検出部２０７が出力する情報ビットは分離部２２１０−１に入力される。分離部２２１０−１では、無線送信装置２１００（図１７）が多重した送信制御情報を情報ビットから分離し、ブロック分割制御部２２０６に出力する。なお、分離部２２１０−１〜２２１０−Ｍの構成・機能は、分離部２２１０−１のものと同じであるので、それらの説明を省略する。
【０１１２】
ブロック分割制御部２２０６では、入力された送信制御情報、特に無線送信装置２１００（図１７）の送信アンテナ数と、無線受信装置２２００が予め分かっている受信アンテナ数とに基づいて、ブロック分割数を決定し、ブロック分割制御情報を生成する。例えば、受信アンテナ数から送信アンテナ数を引いた値が大きいときはブロック分割数を大きくし、受信アンテナ数から送信アンテナ数を引いた値が小さいときはブロック分割数を小さくする。
受信アンテナ数が送信アンテナ数よりも多い場合は、初回処理からＭＩＭＯの分離性能が高いため、繰返し処理の序盤からブロック分割数を多く設定することで、繰返しの収束時間を短縮できる。また、送信アンテナ数が受信アンテナ数よりも多い場合は、初回処理ではＭＩＭＯの分離性能が低いため、繰返し処理の序盤のブロック分割数を少なく設定することで、分割誤差による影響を抑制させつつ、効果的に繰返し処理を行うことができる。生成されたブロック分割制御情報は、ブロック分割部２０５−１〜２０５−Ｎに出力される。
【０１１３】
第３の実施形態では、送信アンテナの数と受信アンテナの数を用いることで、ＭＩＭＯの信号分離性能を予測し、予測した信号分離性能に適したブロック分割数を決定することができる。そのため、繰返し処理の収束時間を短縮でき、また分割誤差による影響を抑制させて繰返し処理を行うことができる。
【０１１４】
なお、第３の実施形態では、送信アンテナ１０９−１〜１０９−Ｍ毎に情報ビットに対して送信制御情報を多重する場合を説明したが、これに限定するものではない。例えば、全ての送信アンテナ１０９−１〜１０９−Ｍのうち、少なくとも１つの送信アンテナにおける情報ビットに対して多重してもよい。また、ＩＦＦＴ部１０３−１〜１０３−Ｍが出力する信号や、ＧＩ挿入部１０５−１〜１０５−Ｍが出力する信号などに対して多重してもよい。
【０１１５】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１１６】
【図１】第１の実施形態における無線送信装置の構成を示す概略ブロック図である。
【図２】第１の実施形態における無線受信装置の構成を示す概略ブロック図である。
【図３】第１の実施形態におけるブロック分割部の構成を示す概略ブロック図である。
【図４】第１の実施形態における送信信号検出部の構成を示す概略ブロック図である。
【図５】第１の実施形態における送信信号レプリカ生成部の構成を示す概略ブロック図である。
【図６】第１の実施形態における無線受信装置のブロック分割部で行われる遅延波成分のレプリカの減算の処理について説明するための図である。
【図７】ブロック分割を行う様子を示す図である。
【図８】繰返し処理ごとにブロック分割制御部が異なるブロック分割数を設定する場合の一例を示す図である。
【図９】第１の実施形態による効果を説明する図である。
【図１０】ブロック分割数の違いによる分割誤差の影響を説明する図である。
【図１１】第１の実施形態における分割数に対する誤り率特性を示すグラフである。
【図１２】全ての繰返し処理に対してブロック分割数を固定した場合の誤り率特性を示すグラフである。
【図１３】異なるブロック分割数を設定した場合の誤り率特性改善の一例を示すグラフである。
【図１４】第１の実施形態に記載の発明の効果を示すための計算機シミュレーションによる評価結果を示すグラフである。
【図１５】図１４の計算機シミュレーションを行うときに用いた主なシミュレーションパラメータを示す表である。
【図１６】第２の実施形態に係る無線受信装置の構成を示す概略ブロック図である。
【図１７】第３の実施形態に係る無線送信装置の構成を示す概略ブロック図である。
【図１８】第３の実施形態に係る無線受信装置の構成を示す概略ブロック図である。
【図１９】ＭＩＭＯシステムの例を示す図である。
【符号の説明】
【０１１７】
１００、２１００…無線送信装置、１０１−１〜１０１−Ｍ…符号部、１０２−１〜１０２−Ｍ…変調部、１０３−１〜１０３−Ｍ…ＩＦＦＴ部、１０４−１〜１−４−Ｍ…パイロット多重部、１０５−１〜１−５−Ｍ…ＧＩ挿入部、１０６−１〜１０６−Ｍ…Ｄ／Ａ変換部、１０７−１〜１０７−Ｍ…送信フィルタ部、１０８−１〜１０８−Ｍ…無線部、１０９−１〜１０９−Ｍ…送信アンテナ、１１０…パイロット信号生成部、２００、１２００、２２００…無線受信装置、２０１−１〜２０１−Ｎ…受信アンテナ、２０２−１〜２０２−Ｎ…無線部、２０３−１〜２０３−Ｎ…受信フィルタ部、２０４−１〜２０４−Ｎ…Ａ／Ｄ変換部、２０５−１〜２０５−Ｎ…ブロック分割部、２０６、１２０６、２２０６…ブロック分割制御部、２０７…送信信号検出部、２０８…送信信号レプリカ生成部、２０９…伝搬路推定部、２５０−１〜２５０−Ｂ…ブロック毎信号処理部、２５１…他ブロックレプリカ生成部、２５２…減算部、２５３…ＧＩ除去部、２５４…ＦＦＴ部、２７１…信号分離部、２７２−１〜２７２−Ｎ…復調部、２７３−１〜２７３−Ｎ…復号部、２８１−１〜２８１−Ｎ…シンボルレプリカ生成部、２８２−１〜２８２−Ｎ…ＩＦＦＴ部、２８３−１〜２８３−Ｎ…パイロット多重部、２８４−１〜２８４−Ｎ…ＧＩ挿入部、２１１１…送信制御情報生成部、２１１２−１〜２１１２−Ｍ…多重部、２２１０−１〜２２１０−Ｍ…分離部
【図１】
2010028210.tif 000026
【図２】
2010028210.tif 000027
【図３】
2010028210.tif 000028
【図４】
2010028210.tif 000029
【図５】
2010028210.tif 000030
【図６】
2010028210.tif 000031
【図７】
2010028210.tif 000032
【図８】
2010028210.tif 000033
【図９】
2010028210.tif 000034
【図１０】
2010028210.tif 000035
【図１１】
2010028210.tif 000036
【図１２】
2010028210.tif 000037
【図１３】
2010028210.tif 000038
【図１４】
2010028210.tif 000039
【図１５】
2010028210.tif 000040
【図１６】
2010028210.tif 000041
【図１７】
2010028210.tif 000042
【図１８】
2010028210.tif 000043
【図１９】
2010028210.tif 000044